(57)【要約】【課題】解決しようとする問題点は、ガラス窓清掃作業において液体洗剤をガラス窓に吹き付ける動作に連続してガラス窓を拭く動作ができれば便利で早く効率よく清掃作業ができる。【解決手段】本発明はガラス窓清掃用液体を収容する容器１ａとこの容器内の液体を噴射するトリガースプレヤー１ｃよりなるトリガースプレー容器１のトリガースプレヤー１ｃ部分並びにトリガースプレー容器蓋部１ｂに着脱可能に装着するトリガースプレヤー挟持体２とこのトリガースプレヤー挟持体２に接続して一体をなす略Ｈ形断面筒の第１杆部３ａの筒中から略Ｈ形断面を有する第２杆部３ｂが伸縮自在に調節して係止する構造よりなる杆体３を有しこの杆体３の先端に略Ｔ字形に形成するスクイジー部４を設けてなるトリガースプレー容器装着型ガラス窓清掃スクイジーによる方法で解決する。【選択図】図１
2006026625.tif 000002
【特許請求の範囲】
【請求項１】
ガラス窓清掃用液体を収容する容器とこの容器内の液体を噴射するトリガースプレヤーにて略構成されるトリガースプレー容器のトリガースプレヤー部分並びに容器蓋部に着脱可能に装着するトリガースプレヤー挟持体とこのトリガースプレヤー挟持体に接続して一体をなす略Ｈ形断面筒の第１杆部の筒中から略Ｈ形断面を有する第２杆部が伸縮自在に係止する構造よりなる杆体を有し、この杆体の先端に略Ｔ字形に形成するスクイジー部を設けていることを特徴とするトリガースプレー容器装着型ガラス窓清掃スクイジー。
【請求項２】
前記のトリガースプレヤー挟持体は、トリガースプレヤー部分をトリガースプレヤー挟持部材とベース部の間に左右から挟んでネジで締付けて挟持し固定することを特徴とするトリガースプレー容器装着型ガラス窓清掃スクイジー。
【請求項３】
前記の第１杆部略Ｈ形断面筒内に向かって凸状に形成した係止レバーの係止ピンが第２杆部背面に形成した凹状の複数の係止ホールに引っ掛かることによって伸縮自在に杆体の長さを調節できる特徴を有するトリガースプレー容器装着型ガラス窓清掃スクイジー。
【発明の詳細な説明】
【技術分野】
【０００１】  本発明は、市販のトリガースプレー容器に簡単に装着可能にしたガラス窓清掃用のスクイジーに関するものである。
【背景技術】
【０００２】  従来の技術は、スプレー容器またはトリガースプレー容器内のガラス窓清掃用液体洗剤をガラス窓に吹き付けた後に、吹き付けた洗剤を布またはスクイジーで拭いてガラス窓を清掃する方法が一般的である。【０００３】  しかし、従来の技術のガラス窓清掃作業は、洗剤をガラス窓に吹き付ける動作と布またはスクイジーで吹き付けた洗剤を拭く動作が異なるために、洗剤容器と清掃器具を手に持ち替えて作業しなければならないので不便である。【０００４】  また、従来の技術では洗剤容器と清掃器具を手に持ち替える動作が頻繁になるために、マンションまたは民家の２階以上の高所での作業では容器や器具が手から滑って下に落ちる危険性が高くなる。
【発明の開示】
【発明が解決しようとする課題】
【０００５】  解決しようとする問題点は、ガラス窓清掃作業において液体洗剤をガラス窓に吹き付ける動作に連続してガラス窓を拭く動作ができれば便利で早く効率よく清掃作業ができる。
【課題を解決するための手段】
【０００６】  本発明はガラス窓清掃用液体を収容する容器とこの容器内の液体を噴射するトリガースプレヤーよりなるトリガースプレー容器のトリガースプレヤー部分並びに当該容器蓋部に着脱可能に装着するトリガースプレヤー挟持体とこのトリガースプレヤー挟持体に接続して一体をなす略Ｈ形断面筒の第１杆部の筒中から略Ｈ形断面を有する第２杆部が伸縮自在に調節して係止する杆体を有しこの杆体の先端に略Ｔ字形に形成するスクイジー部を設けてなるトリガースプレー容器装着型ガラス窓清掃スクイジーによる方法で解決する。
【発明の効果】
【０００７】  市販のトリガースプレー容器に本発明を簡単に装着出来るので便利である。また、ガラス窓に液体洗剤を吹き付ける動作に連続して吹き付けた液体洗剤を拭く動作が出来るので洗剤容器とスクイジーを持ち替える動作が不要になるので便利であるとともに作業の安全性が高くなる。【０００８】  さらに、本発明の杆部が伸縮自在に調節できるので多少高いところのガラス窓清掃作業が容易になる。
【発明を実施するための最良の形態】  トリガースプレー容器に入った市販のガラス窓清掃用液体洗剤を購入し、当該品に本発明を装着して使用する。または、トリガースプレー空容器にガラス窓清掃用液体洗剤を詰め替えて使用する。
【実施例１】
【０００９】  図１は、市販の一般的なトリガースプレー容器１の斜視図と当該品に本発明を装着した場合の１実施例の斜視図である。【００１０】  市販の一般的なトリガースプレー容器１は、液体洗剤を入れる容器１ａ、当該容器の蓋部１ｂ、トリガースプレヤー１ｃ、トリガーレバー１ｄ、噴射部１ｅで略構成している。【００１１】  本発明のトリガースプレヤー挟持体２のベース部２ａとトリガースプレヤー挟持部材２ｂの間にトリガースプレヤー１ｃと当該容器の蓋部１ｂを挟んでネジ２ｃで締付けて挟持して本発明をトリガースプレー容器１に固定する【００１２】  トリガースプレヤー挟持体２に接続してなる杆体３が第１杆部３ａと第２杆部３ｂで構成してなり第１杆部３ａのＨ形筒内を第２杆部３ｂが伸縮自在に移動できる構造であり係止レバー３ｃを手前に引くことで係止ピン３ｄが係止ホール３ｅから外れて第２杆部３ｂが伸縮自在に調節できる。【００１３】  第１杆部３ａは略Ｈ形断面筒状であり第２杆部３ｂは略Ｈ形断面を有しているので第２杆部３ｂが当該筒内で回転することはなく、第２杆部３ｂの断面がＨ形状であるのでガラス窓を清掃する動作方向に対しても強い構造である。【００１４】  スクイジー部４は第２杆部３ｂの先端にゴム挟持部材４ａが略Ｔ字型に接続してゴム板４ｂを挟持して係止する構造で構成する。【００１５】  図２は、本発明縦断面図（Ａ−Ａ切断線での断面図）による説明図である。トリガースプレー容器１の断面は略図で表現している。【００１６】  図３は、トリガースプレヤー挟持体２のＣ−Ｃ切断線での断面図による説明図である。トリガースプレヤー１ｃの断面は略図で表現している。【００１７】  図４は、容器蓋部１ｂのＢ−Ｂ切断線での断面図による説明図である。トリガースプレヤー挟持体２のベース部２ａの裾とトリガースプレヤー挟持部材２ｂの裾が蓋部１ｂを挟持する。【００１８】  図５は、係止レバー３ｃ部分のＡ−Ａ切断線での断面図による説明図である。係止レバー３ｃの材質は弾性体で形成し、一方の端を第１杆部に固定し他方の端に係止ピン３ｄを設けた構造で係止ピン３ｄ側の端を引き上げることで係止ピン３ｄが係止ホール３ｅから外れることになり第２杆部が伸縮自在に移動できる。【００１９】  図６は、スクイジー部Ａ−Ａ切断線での断面図による説明図である。  図７は、Ｄ−Ｄ切断線での断面図による説明図である。
【図面の簡単な説明】
【００２０】
【図１】  本発明装着斜視図
【図２】  本発明縦（Ａ−Ａ切断線）断面図
【図３】  トリガースプレヤー挟持体Ｃ−Ｃ切断線断面図
【図４】  Ｂ−Ｂ切断線断面図
【図５】  係止レバー部分Ａ−Ａ切断線断面図
【図６】  スクイジー部Ａ−Ａ切断線断面図
【図７】  Ｄ−Ｄ切断線断面図
【符号の説明】
【００２１】  １    トリガースプレー容器
１ａ  容器
１ｂ  蓋部
１ｃ  トリガースプレヤー
１ｄ  トリガーレバー
１ｅ  噴射部
２    トリガースプレヤー挟持体
２ａ  ベース部
２ｂ  トリガースプレヤー挟持部材
２ｃ  ネジ
３    杆体
３ａ  第１杆部
３ｂ  第２杆部
３ｃ  係止レバー
３ｄ  係止ピン
３ｅ  係止ホール
４    スクイジー部
４ａ  ゴム板挟持部材
４ｂ  ゴム板
【図１】
2006026625.tif 000003
【図２】
2006026625.tif 000004
【図３】
2006026625.tif 000005
【図４】
2006026625.tif 000006
【図５】
2006026625.tif 000007
【図６】
2006026625.tif 000008
【図７】
2006026625.tif 000009